(57)【要約】  本開示の実施例は、マルチメディアファイルの再生制御方法及び端末機器を開示し、当該方法が第１のスクリーンと第２のスクリーンを含む端末機器に用いられ、方法は、ターゲットスクリーンに対するユーザからの、第１のスクリーンと第２のスクリーンの間の折畳み角度の変化をトリガするための曲げ入力を受け付けること、および曲げ入力に応答して、ターゲットマルチメディアファイルの再生パラメータを調整することを含み、ターゲットスクリーンは、第１のスクリーン又は第２のスクリーンであり、再生パラメータは、再生プログレス及び／又は再生速度を含む。
2022502761.tif 000002
【特許請求の範囲】
【請求項１】
第１のスクリーンと第２のスクリーンを含む端末機器に用いられるマルチメディアファイルの再生制御方法であって、
ターゲットスクリーンに対するユーザからの、第１のスクリーンと第２のスクリーンの間の折畳み角度の変化をトリガするための曲げ入力を受け付けること、および
前記曲げ入力に応答して、ターゲットマルチメディアファイルの再生パラメータを調整することを含み、
前記ターゲットスクリーンは、前記第１のスクリーン又は前記第２のスクリーンであり、前記再生パラメータは、再生プログレス及び／又は再生速度を含む、方法。
【請求項２】
前記曲げ入力に応答して、ターゲットマルチメディアファイルの再生パラメータを調整することは、
前記曲げ入力の曲げ方向と折畳み角度の変化値を取得すること、
前記曲げ方向に基づき、第１の調整方式を特定すること、および
前記第１の調整方式と折畳み角度の変化値に基づき、ターゲットマルチメディアファイルの再生プログレスを調整することを含む、請求項１に記載の方法。
【請求項３】
前記第１の調整方式と折畳み角度の変化値に基づき、ターゲットマルチメディアファイルの再生プログレスを調整することは、
前記第１の調整方式が早送り調整である場合、前記折畳み角度の変化値に基づき、前記ターゲットマルチメディアファイルの再生プログレスを早送りするように制御し、そのうち、早送りの時間長さが前記折畳み角度の変化値に相関すること、および
前記第１の調整方式が早戻し調整である場合、前記折畳み角度の変化値に基づき、前記ターゲットマルチメディアファイルの再生プログレスを早戻しするように制御し、そのうち、早戻しの時間長さが前記折畳み角度の変化値に相関することを含む、請求項２に記載の方法。
【請求項４】
前記ターゲットマルチメディアファイルは、前記第１のスクリーン及び／又は第２のスクリーンに表示されるマルチメディア再生インタフェースにて再生されているファイルであり、
前記マルチメディア再生インタフェースは、前記マルチメディア再生プログレスを調整するためのプログレスバーを含み、
前記第１の調整方式と折畳み角度の変化値に基づき、ターゲットマルチメディアファイルの再生プログレスを調整することは、さらに、
前記第１の調整方式に従い、前記折畳み角度の変化値に基づき、プログレスバーにおけるスライダーの表示位置を更新することを含む、請求項２に記載の方法。
【請求項５】
前記曲げ入力に応答して、ターゲットマルチメディアファイルの再生パラメータを調整することは、
前記曲げ入力の曲げ方向、曲げ速度、および、折畳み角度の変化値を取得すること、
前記曲げ方向に基づき、第２の調整方式を特定すること、および
前記第２の調整方式に従い、前記曲げ速度と折畳み角度の変化値に基づき、ターゲットマルチメディアファイルの再生速度を調整することを含む、請求項１に記載の方法。
【請求項６】
前記第２の調整方式に従い、前記曲げ速度と折畳み角度の変化値に基づき、ターゲットマルチメディアファイルの再生速度を調整することは、
前記第２の調整方式が早送り調整である場合、前記曲げ速度と折畳み角度の変化値に基づき、前記ターゲットマルチメディアファイルを早送り再生するように制御し、そのうち、早送りレートが前記曲げ速度に関連付けられ、早送りの時間長さが前記折畳み角度の変化値に相関すること、および
前記第２の調整方式が早戻し調整である場合、前記曲げ速度と折畳み角度の変化値に基づき、前記ターゲットマルチメディアファイルを早戻し再生するように制御し、そのうち、早戻しレートが前記曲げ速度に関連付けられ、早戻しの時間長さが前記折畳み角度の変化値に相関することを含む、請求項５に記載の方法。
【請求項７】
第１のスクリーン及び第２のスクリーンと、
ターゲットスクリーンに対するユーザからの、前記第１のスクリーンと前記第２のスクリーンの間の折畳み角度の変化をトリガするための曲げ入力を受け付ける受付ユニットと、
前記曲げ入力に応答して、ターゲットマルチメディアファイルの再生パラメータを調整するための調整ユニットと、を備え、
前記ターゲットスクリーンは、前記第１のスクリーン又は前記第２のスクリーンであり、前記再生パラメータは、再生プログレス及び／又は再生速度を含む、端末機器。
【請求項８】
前記曲げ入力の曲げ方向及び折畳み角度の変化値を取得するための第１の取得ユニットをさらに備え、
前記調整ユニットは、前記曲げ方向に応じて、第１の調整方式を特定するとともに、前記第１の調整方式と折畳み角度の変化値に基づき、ターゲットマルチメディアファイルの再生プログレスを調整するように配置されている、請求項７に記載の端末機器。
【請求項９】
前記調整ユニットは、さらに、
前記第１の調整方式が早送り調整である場合、前記折畳み角度の変化値に基づき、前記ターゲットマルチメディアファイルの再生プログレスを早送りするように制御し、そのうち、早送りの時間長さが前記折畳み角度の変化値に相関し、
前記第１の調整方式が早戻し調整である場合、前記折畳み角度の変化値に基づき、前記ターゲットマルチメディアファイルの再生プログレスを早戻しするように制御し、そのうち、早戻しの時間長さが前記折畳み角度の変化値に相関するように配置されている、請求項８に記載の端末機器。
【請求項１０】
前記ターゲットマルチメディアファイルは、前記第１のスクリーン及び／又は第２のスクリーンに表示されるマルチメディア再生インタフェースにて再生されているファイルであり、前記マルチメディア再生インタフェースは、前記マルチメディア再生プログレスを調整するためのプログレスバーを含み、
前記調整ユニットは、さらに、前記第１の調整方式に従い、前記折畳み角度の変化値に基づき、プログレスバーにおけるスライダーの表示位置を更新するように配置されている、請求項８に記載の端末機器。
【請求項１１】
前記曲げ入力に応答して、前記曲げ入力の曲げ方向、曲げ速度、および、折畳み角度の変化値を取得するための第２の取得ユニットをさらに備え、
前記調整ユニットは、前記曲げ方向に応じて、第２の調整方式を特定するとともに、前記第２の調整方式に従い、前記曲げ速度と折畳み角度の変化値に基づき、ターゲットマルチメディアファイルの再生速度を調整するように配置されている、請求項７に記載の端末機器。
【請求項１２】
前記調整ユニットは、さらに、
前記第２の調整方式が早送り調整である場合、前記曲げ速度と折畳み角度の変化値に基づき、前記ターゲットマルチメディアファイルを早送り再生するように制御し、そのうち、早送りレートが前記曲げ速度に関連付けられ、早送りの時間長さと前記折畳み角度の変化値とが正の相関関係にあり、
前記第２の調整方式が早戻し調整である場合、前記曲げ速度と折畳み角度の変化値に基づき、前記ターゲットマルチメディアファイルを早戻し再生するように制御し、そのうち、早戻しレートが前記曲げ速度に関連付けられ、早戻しの時間長さと前記折畳み角度の変化値とが負の相関関係にあるように配置されている、請求項１１に記載の端末機器。
【請求項１３】
プロセッサと、メモリと、前記メモリに記憶され、前記プロセッサにて運行できるコンピュータプログラムと、を含み、
前記コンピュータプログラムが前記プロセッサによって実行されるとき、請求項１〜６のいずれか１項に記載の方法のステップを実現させる、端末機器。
【請求項１４】
コンピュータプログラムが記憶されており、前記コンピュータプログラムがプロセッサによって実行されるとき、請求項１〜６のいずれか１項に記載の方法のステップを実現させる、コンピュータ可読媒体。
【発明の詳細な説明】
【技術分野】
【０００１】
関連出願の相互参照
本出願は、２０１８年９月２６日に中国で提出された中国特許出願番号Ｎｏ．２０１８１１１２６０２２．７の優先権を主張しており、同出願の内容の全ては、ここに参照として取り込まれる。
【０００２】
本開示の実施例は、通信技術分野に関し、特に、マルチメディアファイルの再生制御方法及び端末機器に関する。
【背景技術】
【０００３】
現在、携帯電話によるビデオ再生制御の方式として、通常、ユーザーが指でプログレスバースライダーをスライドさせ、又は、スクリーンをスライドさせることによって調整すること、又は、一定時間の早送りや早戻しを行うことによって制御することが考えられる。
【０００４】
しかしながら、一方では、一般的な関連技術におけるスライダーの制御方式によって、通常、停止のノードを制御することが困難である。位置の調整が完了して、指が離れたとき、指の皮膚と携帯電話のスクリーンとの接触が一つの点ではなく、一つの面であるという特性があるので、指が離れた後には、接触面が変化したことによって、ノードのジャンプが頻繁に発生してしまう。それによって、調整後の再生ノードは、ユーザが見たい再生ノードではなくなり、ひいては、ユーザが見たい再生ノードから遠く離れてしまうことがある。また、指によるスライド操作のとき、ビデオ再生のインターフェースを遮蔽してしまう可能性もある。他方では、一定時間の早送りや早戻しには、制限が大きくて、柔軟に調整できないため、ユーザの所望の再生速度を実現できないことが一般的である。
【発明の概要】
【発明が解決しようとする課題】
【０００５】
本開示の実施例は、関連技術においてスクリーンを指でタッチさせることでビデオ再生プログレスを調整することに起因して再生ノードジャンプが発生してしまう問題を解決するためのマルチメディアファイルの再生制御方法及び端末機器を提供する。
【課題を解決するための手段】
【０００６】
上記技術的課題を解決するために、本開示は、以下のように実現される。
【０００７】
第１の態様によれば、マルチメディアファイルの再生制御方法を提供し、端末機器が第１のスクリーンと第２のスクリーンを含み、前記方法は、
ターゲットスクリーンに対するユーザからの、第１のスクリーンと第２のスクリーンの間の折畳み角度の変化をトリガするための曲げ入力を受け付けること、および
前記曲げ入力に応答して、ターゲットマルチメディアファイルの再生パラメータを調整することを含み、
前記ターゲットスクリーンは、前記第１のスクリーン又は前記第２のスクリーンであり、前記再生パラメータは、再生プログレス及び／又は再生速度を含む。
【０００８】
第２の態様によれば、第１のスクリーンと第２のスクリーンを含む端末機器を提供し、
ターゲットスクリーンに対するユーザからの、前記第１のスクリーンと前記第２のスクリーンの間の折畳み角度の変化をトリガするための曲げ入力を受け付ける受付ユニットと、
前記曲げ入力に応答して、ターゲットマルチメディアファイルの再生パラメータを調整するための調整ユニットと、をさらに含み、
前記ターゲットスクリーンは、前記第１のスクリーン又は前記第２のスクリーンであり、前記再生パラメータは、再生プログレス及び／又は再生速度を含む。
【０００９】
第３の態様によれば、コンピュータプログラムが記憶されており、前記コンピュータプログラムがプロセッサによって実行されるとき、第１の態様に記載の方法のステップを実現させる、コンピュータ可読媒体をさらに提供する。
【００１０】
本開示の実施例では、マルチメディアファイルの再生制御方法は、ターゲットスクリーンに対するユーザからの曲げ入力（当該曲げ入力が第１のスクリーンと第２のスクリーンの間の折畳み角度の変化をトリガする）を受け付けることにより、ターゲットマルチメディアファイルの再生パラメータ（例えば、再生プログレス又は再生速度）を調整する。本開示の実施例にかかる方法では、第１のスクリーン及び／又は第２のスクリーン間の折畳み角度の変化をトリガするだけで、マルチメディアファイルの再生プログレス又は再生速度に対する調整を実現でき、ユーザが端末機器のスクリーンを指でタッチ又はスライドすることなく、ビデオ再生の早送り又は早戻しなどの機能を実現させることができる。
【図面の簡単な説明】
【００１１】
【図１】本開示の一実施例によるマルチメディアファイルの再生制御方法の模式的フローチャートである。
【図２】本開示の別の実施例によるマルチメディアファイルの再生制御方法の模式的フローチャートである。
【図３】本開示の更に別の実施例によるマルチメディアファイルの再生制御方法の模式的フローチャートである。
【図４】本開示の一実施例によるマルチメディアファイルの再生インタフェースの模式的表示図である。
【図５】本開示の別の実施例によるマルチメディアファイルの再生インタフェースの模式的表示図である。
【図６】本開示のさらに別の実施例によるマルチメディアファイルの再生インタフェースの模式的表示図である。
【図７】本開示のさらに別の実施例によるマルチメディアファイルの再生インタフェースの模式的表示図である。
【図８】本開示の一実施例による端末機器の模式的構造ブロック図である。
【図９】本開示の別の実施例による端末機器の模式的構造ブロック図である。
【図１０】本開示のさらに別の実施例による端末機器の構造模式図である。
【発明を実施するための形態】
【００１２】
以下は、本開示の実施例における添付図面を結び付けながら、本開示の実施例の技術案を明瞭かつ完全に記述する。明らかに、記述されている実施例は本開示の一部の実施例であり、全部の実施例ではない。本開示の実施例を基にして、当業者が創造的な労力を払わないことを前提として、得られる全ての他の実施例はいずれも、本開示の保護範囲に該当するものである。
【００１３】
以下は、添付図面を組み合わせながら、本発明の各実施例が提供する技術案を詳しく説明する。
【００１４】
図１は、本開示の一実施例によるマルチメディアファイルの再生制御方法の模式的フローチャートであり、関連技術においてスクリーンを指でタッチさせることでビデオ再生プログレスを調整することに起因して再生ノードジャンプが発生してしまう問題を解決するためのものである。本開示の実施例における方法は、第１のスクリーンと第２のスクリーンを含む端末機器に用いられ、当該方法は、以下のものを含む。
一般的には、ユーザは、端末機器のビデオを開いて再生し、閲覧しようとする場合のみ、ビデオの再生プログレスを調整するニーズが出てくる。そのうち、端末機器は、第１のスクリーンと第２のスクリーンを含んでもよい。例えば、端末機器は、折り畳みスクリーンを有する携帯電話であってもよい。
【００１５】
ステップ１０２、ターゲットスクリーンに対するユーザからの曲げ入力を受け付け、そのうち、曲げ入力は、第１のスクリーンと第２のスクリーンの間の折畳み角度の変化をトリガするためのものである。
【００１６】
ステップ１０４、曲げ入力に応答して、ターゲットマルチメディアファイルの再生パラメータ（例えば、再生プログレス及び／又は再生速度）を調整すること。そのうち、ターゲットスクリーンは第１のスクリーン又は第２のスクリーンである。
【００１７】
理解すべきなのは、ユーザが端末機器のビデオを開いて再生した場合、ユーザは、２スクリーンのうちの１つのスクリーンを折り畳む（すなわち、ターゲットスクリーンに対するユーザからの曲げ入力）（２スクリーンを同時に折り畳んでもよい）ことでそのときのビデオの再生プログレスまたはスピードを調整することができる。
【００１８】
これより分かるように、本開示の実施例におけるマルチメディアファイルの再生制御方法では、ターゲットスクリーンに対するユーザからの曲げ入力（当該曲げ入力が第１のスクリーンと第２のスクリーンの間の折畳み角度の変化をトリガする）を受け付けることにより、ターゲットマルチメディアファイルの再生パラメータ（例えば、再生プログレス又は再生速度）を調整することができる。そうすると、本開示の実施例にかかる方法では、第１のスクリーン及び／又は第２のスクリーン間の折畳み角度の変化をトリガするだけで、マルチメディアファイルの再生プログレス又は再生速度に対する調整を実現でき、ユーザが端末機器のスクリーンを指でタッチ又はスライドすることなく、ビデオ再生の早送り又は早戻しなどの機能を実現させることができる。
【００１９】
すなわち、ユーザがビデオを見たときに、もう１つのスクリーンを折り畳んで操作することで再生プログレス、再生速度を制御することにより、制御をより精確かつ柔軟にすることができ、また、操作の同時に、再生インタフェースが指で遮蔽されてしまうことを懸念する必要がなくなる。
【００２０】
そのうち、図２に示されるように、ステップ１０４では、曲げ入力に応答して、ターゲットマルチメディアファイルの再生パラメータを調整する操作は、以下のステップを含んでもよい。
【００２１】
ステップ２０２、曲げ入力の曲げ方向及び折畳み角度の変化値を取得すること。
【００２２】
そのうち、曲げ方向は、ユーザに向かう方向又はユーザに背く方向であってもよく、又は、ユーザが端末機器を正常に使用するときのユーザの左側方向又は右側方向に向かう方向などであってもよい。また、折り畳み角度は曲げ方向に応じて大きくなったり、小さくなったりすることができる。勿論、折り畳み角度が曲げ方向に応じて変化する傾向は、ユーザの実際なユーザ利用習慣又は他の設定ルールに従って設置されてもよい。
【００２３】
ステップ２０４、曲げ方向に基づき、第１の調整方式を特定すること。
【００２４】
例えば、ユーザが端末機器を正常に使用するときのユーザの左側方向に向かって曲げると、第１の調整方式は早戻し調整であることに対して、ユーザが端末機器を正常に使用するときのユーザの右側方向に向かって曲げると、第１の調整方式は早送り調整であってもよい。又は、ユーザに向かう方向に曲げると、第１の調整方式は早送り調整であることに対して、ユーザに背く方向に曲げると、第１の調整方式は早戻し調整であってもよい。
【００２５】
ステップ２０６、第１の調整方式と折畳み角度の変化値に基づき、ターゲットマルチメディアファイルの再生プログレスを調整すること。
【００２６】
理解すべきなのは、ユーザがターゲットスクリーンに対して曲げ入力の操作を行うとき、曲げ入力の方向及び折り畳み角度の変化値をまず取得して、折り畳み方向に応じて調整方式（例えば、早送りか早戻しか）を特定することにより、調整方式と折畳み角度の変化値とに基づき、ターゲットマルチメディアファイルの再生プログレスを調整することができ、ユーザが端末機器のスクリーンを指でタッチ又はスライドすることによってビデオの再生プログレスを変化させる必要がなくなる。
【００２７】
具体的には、第１の調整方式と折畳み角度の変化値に基づき、ターゲットマルチメディアファイルの再生プログレスを調整する操作は、以下のものを含んでもよい。
第１の調整方式が早送り調整である場合、折畳み角度の変化値に基づき、ターゲットマルチメディアファイルの再生プログレスを早送りして制御し、そのうち早送りの時間長さが折畳み角度の変化値に相関する。第１の調整方式が早戻し調整である場合、折畳み角度の変化値に基づき、ターゲットマルチメディアファイルの再生プログレスを早戻しして制御し、そのうち、早戻しの時間長さが折畳み角度の変化値に相関する。
【００２８】
つまり、第１の調整方式が早送り又は早戻しの場合に、ユーザが曲げる操作を行うとき、曲げ始める位置を記録するとともに、スクリーンの曲げ前後の角度をリフレッシュして計算し、フレームがリフレッシュされるたびに、リフレッシュされた位置を新たに曲げ始める位置とし、システムは、マルチメディアファイルの再生時間長さと折畳み角度に基づいて一定の割合でプログレスバーを進行又は巻き戻させる（例えば、フレームのリフレッシュレートが３０ＦＰＳで、１度ごとに曲げられると、プログレスバーが１％進行し、又は、巻き戻すこととなる）。
【００２９】
理解すべきなのは、第１のスクリーンと第２のスクリーンの間の折畳み角度が小さくなると、マルチメディアファイルの再生プログレスを巻き戻して制御することができるように限定されてもよい。また、第１のスクリーンと第２のスクリーンの間の折畳み角度が大きくなると、マルチメディアファイルの再生プログレスを進行して制御することができるように限定されてもよい。つまり、２つのスクリーンが互いに接近して折り畳まれると、マルチメディアファイルの再生プログレスを巻き戻して制御することができることに対して、２つのスクリーンが互いに離れて折り畳まれると、マルチメディアファイルの再生プログレスを進行して制御することができる。
【００３０】
勿論、ここでいう折畳みの方向と再生プログレスが早送りか早戻しかとのマッチングは、実際な状況の要求（例えば、ユーザの習慣など）に応じて設定されてもよいが、本実施例で限定されている状況に限らない。すなわち、２つのスクリーンが互いに接近して折り畳まれると、マルチメディアファイルの再生プログレスを進行して制御することができることに対して、２つのスクリーンが互いに離れて折り畳まれると、マルチメディアファイルの再生プログレスを巻き戻して制御することができると限定されてもよい。
【００３１】
上記実施例では、ターゲットマルチメディアファイルは、第１のスクリーン及び／又は第２のスクリーンに表示されるマルチメディア再生インタフェースにて再生されているファイルであり、マルチメディア再生インタフェースは、マルチメディア再生プログレスを調整するためのプログレスバーを含んでもよい。それで、第１の調整方式と折畳み角度の変化値に基づき、ターゲットマルチメディアファイルの再生プログレスを調整することは、さらに、
第１の調整方式に従い、折畳み角度の変化値に基づき、プログレスバーにおけるスライダーの表示位置を更新することを含んでもよい。
【００３２】
例えば、巻き戻し再生する必要のある場合、２つのスクリーンを互いに接近して折り畳め、再生プログレスバー（又はスライダーなど）を巻き戻させてもよい。すなわち、ユーザが折畳み始まると、折畳み開始の位置を記録することにより、折畳み前後の２スクリーン間の角度をリフレッシュして計算し、フレームがリフレッシュされるたびに、リフレッシュされた位置を新たに折畳み開始の位置とし、システムは、ビデオの時間長さと角度に基づいて一定の割合でプログレスバーを巻き戻させる。例えば、リフレッシュレートが３０ＦＰＳで、１°ごとに折り畳まれると、プログレスバーが１％巻き戻し、又は、２°ごとに折り畳まれると、プログレスバーが２％巻き戻し、又は、３°ごとに折り畳まれると、プログレスバーが３％巻き戻し、又は、４°ごとに折り畳まれると、プログレスバーが４％巻き戻し、又は、５°ごとに折り畳まれると、プログレスバーが５％巻き戻すことになるが、ここでは一々と例を挙げないことにする。
【００３３】
同じ理由で、再生を加速する必要のある場合、２つのスクリーンを互いに離せて折り畳めて、再生プログレスバー（又はスライダーなど）を増進させてもよい。すなわち、ユーザが折畳み始まると、折畳み開始の位置を記録することにより、折畳み前後の２スクリーン間の角度をリアルタイムにリフレッシュして計算し、フレームがリフレッシュされるたびに、リフレッシュされた位置を新たに折畳み開始の位置とし、システムは、ビデオの時間長さと角度に基づいて一定の割合でプログレスバーを増進させ、例えば、リフレッシュレートが３０ＦＰＳで、１°ごとに折り畳まれると、プログレスバーが１％増進する。
【００３４】
これより分かるように、上記任意の一実施例に係る方法では、第１のスクリーン及び／又は第２のスクリーンを折り畳むだけで、マルチメディアファイルの再生プログレスに対する調整を実現でき、ユーザが端末機器のスクリーンを指でタッチ又はスライドすることなく、ビデオ再生の早送り又は早戻しなどの機能を実現させることができる。そのため、関連技術においてスクリーンを指でタッチさせることでビデオ再生プログレスを調整することに起因して、ノードジャンプが発生してしまい、最終の再生ノードは、ユーザが見たい再生ノードではなくなり、ひいては、ユーザが見たい再生ノードから遠く離れてしまうという問題を解決することができる。すなわち、ユーザは、ビデオを見るとき、そのうちの１つのスクリーンを折り畳むことでビデオの再生プログレスを調整および制御して、ユーザが見たいビデオの再生ノードに至ることが可能である。
【００３５】
また、関連技術において早送りや早戻しを一定の時間だけ行うことで再生プログレスを制御する態様おいて、一定の時間での早送りや早戻しには、制限性が大きいことに起因して、柔軟に調整できないという問題も解決できる。
【００３６】
図３に係る実施例では、ステップ１０４における、曲げ入力に応答して、ターゲットマルチメディアファイルの再生パラメータを調整する操作は、以下のステップを含んでもよい。
【００３７】
ステップ３０２：曲げ入力の曲げ方向、曲げ速度、および、折畳み角度の変化値を取得すること。
【００３８】
そのうち、曲げ方向は、ユーザに向かう方向又はユーザに背く方向であってもよく、又は、ユーザが端末機器を正常に使用するときのユーザの左側方向又は右側方向に向かう方向などであってもよい。曲げ速度は、ユーザが端末機器を用いるときに第１のスクリーン及び／又は第２のスクリーンを曲げる速度によることが一般的である。また、折り畳み角度は曲げ方向に応じて大きくなったり、小さくなったりすることができる。勿論、折り畳み角度が曲げ方向に応じて変化する傾向は、ユーザの実際なユーザ利用習慣又は他の設定ルールに従って設置されてもよい。
【００３９】
ステップ３０４、曲げ方向に基づき、第２の調整方式を特定すること。
【００４０】
例えば、ユーザが端末機器を正常に使用するときのユーザの左側方向に向かって曲げると、第２の調整方式は早戻し調整（又は、第１の調整方式と区別させるために、第２の調整方式が早戻し再生調整と呼ばれてもよい）であることに対して、ユーザが端末機器を正常に使用するときのユーザの右側方向に向かって曲げると、第２の調整方式は早送り調整（又は、早送り再生調整と呼ばれてもよい）であってもよい。
【００４１】
ステップ３０６：第２の調整方式に従い、曲げ速度と折畳み角度の変化値に基づき、ターゲットマルチメディアファイルの再生速度を調整すること。
【００４２】
理解すべきなのは、ユーザがターゲットスクリーンに対して曲げ入力の操作を行うとき、曲げ入力の方向、曲げ速度、及び折り畳み角度の変化値をまず取得して、折り畳み方向に応じて調整方式（例えば、早送りか早戻しか）を特定することにより、第２の調整方式、曲げ速度、および、折畳み角度の変化値とに基づき、ターゲットマルチメディアファイルの再生速度を調整することができ、ユーザが端末機器のスクリーンを指でタッチ又はスライドすることによってビデオの再生プログレスを変化させる必要がなくなる。
【００４３】
具体的には、ステップ３０６における、第２の調整方式に従い、曲げ速度と折畳み角度の変化値に基づき、ターゲットマルチメディアファイルの再生速度を調整することは、
第２の調整方式が早送り調整である場合、曲げ速度と折畳み角度の変化値に基づき、ターゲットマルチメディアファイルを早送り再生するように制御し、そのうち、早送りレートが曲げ速度に関連付けられており、早送りの時間長さが折畳み角度の変化値に相関すること、および第２の調整方式が早戻し調整である場合、曲げ速度と折畳み角度の変化値に基づき、ターゲットマルチメディアファイルを早戻し再生するように制御し、そのうち、早戻しレートが曲げ速度に関連付けられ、早戻しの時間長さと折畳み角度の変化値とが相関することを含んでもよい。
【００４４】
理解すべきなのは、早戻し再生する必要のある場合、２つのスクリーンを互いに接近して折り畳めてから、２つのスクリーンを元の位置（マルチメディアファイルの再生プログレスが調整されていない位置又は２つのスクリーンが互いに接近して折り畳まれる操作が行われていない時の位置）に復元し、ビデオを倍速で早戻し再生してもよい。
【００４５】
曲げる操作又は折り畳む操作の速度に基づいて、異なる倍速（例えば、０．５倍、２倍、４倍など）での早戻し再生を行う。そのうち、システムは、折り畳まれる前の位置を記録して、折り畳みから復元した後、折り畳み時間を計算し、期間が短ければ短いほど、速度が速くなり、複数のプリセット閾値に基づいて異なる早戻し倍速を出力することができる。例えば、速度がｖａｌｕｅ１よりも大きくなると、０．５倍となり、速度がｖａｌｕｅ１からｖａｌｕｅ２の間にあると、２倍となり、速度がｖａｌｕｅ２よりも大きくなると、４倍となり、その後、システムは、得られた値に基づいて倍速で早戻し再生させる。そのうち、ｖａｌｕｅ１もｖａｌｕｅ２も予め設定されたプリセット閾値である。
【００４６】
同じ理由で、早送り再生する必要のある場合、２つのスクリーンを互いに離して折り畳めるとともに、スクリーンを元の位置に復元し、ビデオを倍速で早送り再生させてもよい。そのうち、曲げる操作又は折り畳む操作の速度に基づいて、異なる倍速（例えば、０．５倍、２倍、４倍など）での早戻し再生を行う。そのうち、システムは、折り畳まれる前の位置を記録し、復元した後、折り畳み時間を計算し、期間が短ければ短いほど、速度が速くなり、複数のプリセット閾値に基づいて異なる早送り倍速を出力することができる。例えば、速度がｖａｌｕｅ１よりも大きくなると、０．５倍となり、速度がｖａｌｕｅ１からｖａｌｕｅ２の間にあると、２倍となり、速度がｖａｌｕｅ２よりも大きくなると、４倍となり、その後、システムは、得られた値に基づいて倍速で早送り再生させる。
【００４７】
理解すべきなのは、ユーザの習慣に従い、曲げ方向又は折畳み方向を変化させてもよい。例えば、元の方式として、元戻して折り畳むこと（すなわち、互いに接近して折り畳むこと）を巻き戻しにすることであるが、後向きで折り畳むこと（すなわち、互いに離れて折り畳むこと）を巻き戻しにすることに変わってもよい。そうすると、後向きで折り畳むことが早送りである場合、元戻して折り畳むことを早送りにすることに変わってもよい。
【００４８】
これより分かるように、本開示の実施例における方法では、折り畳みの速度に応じて、ビデオを異なる倍速で早送り・早戻し再生することができ、また、ユーザの好みから、折り畳み方向を選択することにより、再生制御操作がより柔軟で多変になるようにすることができ、ユーザの要求にもよりよく適合できるようになる。
【００４９】
すなわち、本開示の実施例では、スクリーンを折り畳む速度の違いにより、ビデオは、再生時、異なる速度で巻き戻し再生や早送り再生されるようになる。
【００５０】
上述した更なる実施例では、本開示の実施例における方法は、さらに
第１のスクリーン及び／又は第２のスクリーンに対する折畳み操作が一定の時間帯に検出されていない場合、調整後のマルチメディアファイルを再生し、又は、ユーザによるタッチ操作に応答して、調整後のマルチメディアファイルを再生することを含んでもよい。
【００５１】
すなわち、ユーザがスクリーンに対する折畳み操作をやめた後、再生プログレススライダーの移動が停止し、システムによって一定の時間内にスライド操作が行われていないことが検出されると、ビデオの再生が自動的に継続する。又は、ユーザは、再生ボタンをクリックしてビデオの再生を継続させてもよい。
【００５２】
具体的な一実施例では、図４〜図７を組み合わせながら説明すると、本開示の実施例におけるマルチメディアファイルの再生プログレスを調整する方法の実現プロセスは以下のようになることが可能である。
【００５３】
ステップ一、ユーザがビデオを開いて再生すること。ユーザは折畳み型携帯電話を利用してあるビデオを開いて、再生して見る。そのビデオ画面は図４に示されるものを参照されてよい。
【００５４】
ステップ二、端末機器、例えば携帯電話のシステムは、そのうちの１つのスクリーンにてビデオが再生されているとき、もう１つのスクリーンには折畳み操作があったことを検出した場合、再生を自動的に一時中止させ、そのとき、ユーザがスクリーンを折り畳む操作を行うことで、ビデオの再生プログレスを調整することができること。
【００５５】
ステップ三、ユーザは、スクリーンを折り畳むことで、再生プログレスを操作すること。
【００５６】
巻き戻し再生プログレスについて、スクリーンを元戻して（２つのスクリーンを互いに接近して）折畳み、図５に示されるように、再生プログレスのスライダー４０１を巻き戻させる。ユーザが折り畳むと、折畳み開始の位置を記録するとともに、折畳み前後の角度をリアルタイムにリフレッシュして計算することができ、フレームがリフレッシュされるたびに、リフレッシュされた位置を新たに折畳み開始の位置とし、システムは、ビデオの時間長さと角度に基づいて一定の割合でプログレスバーを巻き戻させ、例えば、リフレッシュレートが３０ＦＰＳで、１°ごとに折り畳まれると、プログレスバーが１％巻き戻す。
【００５７】
早送り再生プログレスについて、スクリーンを後向きに（２つのスクリーンを互いに離して）折畳み、図６に示されるように、再生プログレスのスライダー４０１を増進させる。ユーザが折り畳むと、折畳み開始の位置を記録するとともに、折畳み前後の角度をリアルタイムにリフレッシュして計算することができ、フレームがリフレッシュされるたびに、リフレッシュされた位置を新たに折畳み開始の位置とし、システムは、ビデオの時間長さと角度に基づいて一定の割合でプログレスバーを増進させ、例えば、リフレッシュレートが３０ＦＰＳで、１°ごとに折り畳まれると、プログレスバーが１％増進する。
【００５８】
ステップ四、ビデオ再生制御が完成し、ビデオの再生を継続すること。ユーザがスクリーンに対する折畳み操作をやめ、再生プログレススライダー４０１の移動が停止し、システムによって一定の時間内にスライド操作が行われていないことが検出されると、ビデオの再生が自動的に継続し、又は、ユーザが再生ボタンをクリックしてビデオの再生を継続させる。
【００５９】
これより分かるように、本開示の実施例における方法では、ユーザは、ビデオを見るとき、そのうちの１つのスクリーンを折り畳むことでビデオの再生プログレスを調整して、ユーザが見たいビデオの再生ノードに至ることが可能である。すなわち、ユーザがビデオを見たときに、１つのスクリーンを折り畳んで操作することで再生プログレスを制御することにより、制御をより精確かつ柔軟にすることができ、また、操作の同時に、再生インタフェースが指で遮蔽されてしまうことを懸念する必要がなくなる。
【００６０】
具体的な別の実施例では、図４〜図７を組み合わせながら説明すると、上記具体的な実施例とは異なるように、本開示の実施例では、スクリーンを折り畳む速度によって、巻き戻し再生の速度又は早送り再生の速度を制御することができる。本開示の実施例における方法の具体的な実現プロセスは、以下のステップを含んでもよい。
【００６１】
まず、ユーザがビデオを開いて再生する。ユーザは折畳み型携帯電話を利用してあるビデオを開いて、再生して見る。
【００６２】
次は、システムは、ビデオが再生されているとき、もう１つのスクリーンには折畳み操作があったことを検出した場合、再生が自動的に一時中止する同時に、ユーザがスクリーンを折り畳むときの操作機能を選択するためのメニューをポップアップする。そのとき、ユーザは、スクリーンを折畳み、再生プログレスを調整する操作を行うことができる。
【００６３】
そのうち、操作機能を選択し、ユーザは、スクリーンを折り畳むことで、再生プログレスを操作する。
【００６４】
再生プログレスを調整する操作について、上記具体的な実施例に記載の実現プロセスを参照されてよい。ここでは詳しく説明しない。
【００６５】
早戻し再生する操作について、スクリーンを元戻して（互いに接近して）折り畳めて元の位置（マルチメディアファイルの再生プログレスが調整されていない位置又は２つのスクリーンが互いに接近して折り畳まれる操作が行われていない時の位置）に復元する。そのとき、ビデオを倍速で早戻し再生してもよい。また、折り畳み（又はプログレスバーの移動）の速度に基づいて、異なる倍速（例えば、０．５倍、２倍、４倍など）での早戻し再生を行うことができる。
【００６６】
そのうち、端末機器のシステムは、折り畳まれる前の位置を記録して、復元した後、折り畳み時間を計算し、時間が短ければ短いほど、速度が速くなる。その後、複数の閾値に基づいて異なる早戻し倍速を出力することができる。例えば、速度がｖａｌｕｅ１よりも大きくなると、０．５倍となり、速度がｖａｌｕｅ１からｖａｌｕｅ２の間にあると、２倍となり、速度がｖａｌｕｅ２よりも大きくなると、４倍となる。最後には、システムは、得られた倍速の値に基づいて倍速で早戻し再生させる。
【００６７】
早送り再生する操作について、スクリーンを後向きに（互いに離して）折り畳めて元の位置（マルチメディアファイルの再生プログレスが調整されていない位置又は２つのスクリーンが互いに接近して折り畳まれる操作が行われていない時の位置）に復元し、ビデオを倍速で早送り再生してもよい。同時に、折り畳みの速度に基づいて、異なる倍速（例えば、０．５倍、２倍、４倍など）での早送り再生を行うことができる。
【００６８】
具体的には、端末機器のシステムは、折り畳まれる前の位置を記録し、復元した後、折り畳み時間を計算し、期間が短ければ短いほど、速度が速くなる。その後、複数の閾値に基づいて異なる早送り倍速を出力することができる。例えば、速度がｖａｌｕｅ１よりも大きくなると、０．５倍となり、速度がｖａｌｕｅ１からｖａｌｕｅ２の間にあると、２倍となり、速度がｖａｌｕｅ２よりも大きくなると、４倍となる。その後、システムは、得られた値に基づいて倍速で早送り再生させる。
【００６９】
上記方法の実現プロセスでは、ユーザの習慣に従い、折畳み方向を変化させてもよい。上記実施例の方法では、スクリーンを元戻して折り畳むことを巻き戻しにするが、後向きに折り畳むことを巻き戻しにすることに変わってもよい。また、上記実施例の方法では、後向きで折り畳むことを早送りにするが、元戻して折り畳むことを早送りにすることに変わってもよい。
【００７０】
さらに、ビデオ再生制御を完成し、ビデオの再生を継続する。すなわち、ユーザは、スクリーンに対する折畳みを中止し、正常の再生速度に戻すことを改めて選択し、ビデオを正常の速度で再生させることができる。
【００７１】
これより分かるように、本開示の実施例における方法では、上記具体的な実施例による効果を実現できるだけではなく、折り畳みの速度に応じて、ビデオを異なる倍速で早送り・早戻し再生することができ、また、ユーザの好みから、折り畳み方向を選択することにより、再生制御操作がより柔軟で多変になるようにすることができ、ユーザの要求にもよりよく適合できるようになる。すなわち、ユーザがビデオを見たときに、１つのスクリーンを折り畳んで操作することで再生プログレス、再生速度を制御することにより、制御をより精確かつ柔軟にすることができ、また、操作の同時に、再生インタフェースが指で遮蔽されてしまうことを懸念する必要がなくなる。
【００７２】
すなわち、本開示の実施例では、スクリーンを折り畳む速度の違いにより、ビデオは、再生時、異なる速度で巻き戻し再生や早送り再生されるようになる。図５にも図６にも、左スクリーンにて再生され、右スクリーンにて操作されることが示されるが、右スクリーンにて再生され、左スクリーンにて操作されることも適用できる。
【００７３】
上記任意の一実施例に記載のマルチメディアファイルはオーディオファイルであってもよく、ビデオなどであってもよい。
【００７４】
本開示の実施例は、第１のスクリーンと第２のスクリーンを含む端末機器をさらに提供し、図８に示されるように、端末機器はさらに、ターゲットスクリーンに対するユーザからの、第１のスクリーンと第２のスクリーンの間の折畳み角度の変化をトリガするための曲げ入力を受け付けるための受付ユニット８０２と、曲げ入力に応答して、ターゲットマルチメディアファイルの再生パラメータを調整するための調整ユニット８０４と、を含み、ターゲットスクリーンは、第１のスクリーン又は第２のスクリーンであり、再生パラメータは、再生プログレス及び／又は再生速度を含む。
【００７５】
端末機器は、受信ユニット８０２によってターゲットスクリーンに対するユーザからの曲げ入力（当該曲げ入力が第１のスクリーンと第２のスクリーンの間の折畳み角度の変化をトリガする）を受け付けることにより、調整ユニット８０４によってターゲットマルチメディアファイルの再生パラメータ（例えば、再生プログレス又は再生速度）を調整する。そうすると、本開示の実施例における端末機器では、第１のスクリーン及び／又は第２のスクリーンを折り畳むだけで、マルチメディアファイルの再生プログレス又は再生速度に対する調整を実現でき、ユーザが端末機器のスクリーンを指でタッチ又はスライドすることなく、ビデオ再生の早送り又は早戻しなどの機能を実現させることができる。そのため、関連技術においてスクリーンを指でタッチさせることでビデオ再生プログレスを調整することに起因して、ノードジャンプが発生してしまい、最終的に再生ノードはユーザが見たい再生ノードではなくなるという問題を解決することができる。
【００７６】
上記実施例では、図８に示されるように、端末機器は、曲げ入力の曲げ方向及び折畳み角度の変化値を取得するための第１の取得ユニット８０６をさらに備える。調整ユニット８０４は、曲げ方向に応じて、第１の調整方式を特定するとともに、第１の調整方式と折畳み角度の変化値に基づき、ターゲットマルチメディアファイルの再生プログレスを調整するように配置されてもよい。そのうち、調整ユニット８０４はさらに、第１の調整方式が早送り調整である場合、折畳み角度の変化値に基づき、ターゲットマルチメディアファイルの再生プログレスを早送りして制御し、そのうち、早送りの時間長さが折畳み角度の変化値に相関し、第１の調整方式が早戻し調整である場合、折畳み角度の変化値に基づき、ターゲットマルチメディアファイルの再生プログレスを早戻しして制御し、そのうち、早戻しの時間長さが折畳み角度の変化値に相関する、ように配置されてもよい。
【００７７】
理解すべきなのは、ユーザがターゲットスクリーンに対して曲げ入力の操作を行うとき、第１の取得ユニット８０６によって、曲げ入力の方向及び折り畳み角度の変化値を取得して、調整ユニット８０４によって、折り畳み方向に応じて調整方式（例えば、早送りか早戻しか）を特定することにより、調整方式と折畳み角度の変化値とに基づき、ターゲットマルチメディアファイルの再生プログレスを調整することができ、ユーザが端末機器のスクリーンを指でタッチ又はスライドすることによってビデオの再生プログレスを変化させる必要がなくなる。
【００７８】
上記任意の一実施例では、ターゲットマルチメディアファイルは、第１のスクリーン及び／又は第２のスクリーンに表示されるマルチメディア再生インタフェースにて再生されているファイルであってもよく、マルチメディア再生インタフェースは、マルチメディア再生プログレスを調整するためのプログレスバーを含み、調整ユニット８０４は、さらに、
第１の調整方式に従い、折畳み角度の変化値に基づき、プログレスバーにおけるスライダーの表示位置を更新するように配置されてもよい。
【００７９】
つまり、ターゲットマルチメディアファイルを巻き戻し再生するとき、再生プログレスバー（又はスライダーなど）を巻き戻させる。また、ターゲットマルチメディアファイルを加速して再生するとき、再生プログレスバー（又はスライダー）を増進させる。それにより、再生プログレスバーの表示位置から、ターゲットマルチメディアファイルの再生位置が見える。すなわち、ターゲットマルチメディアファイルの再生パラメータを調整するとき、プログレスバーの表示位置は、再生パラメータが調整された再生位置にマッチングした。
【００８０】
図９の実施例では、本開示の実施例における端末機器は、曲げ入力に応答して、曲げ入力の曲げ方向、曲げ速度、および、折畳み角度の変化値を取得するための第２の取得ユニット８０８をさらに備えてもよい。調整ユニット８０４は、曲げ方向に応じて、第２の調整方式を特定するとともに、第２の調整方式に従い、曲げ速度と折畳み角度の変化値に基づき、ターゲットマルチメディアファイルの再生速度を調整するように配置されてもよい。
【００８１】
ユーザがターゲットスクリーンに対して曲げ入力の操作を行うとき、まず、第２の取得ユニット８０８によって、曲げ入力の方向、曲げ速度、及び折り畳み角度の変化値を取得して、調整ユニット８０４によって、折り畳み方向に応じて調整方式（例えば、早送りか早戻しか）を特定することにより、第２の調整方式、曲げ速度、折畳み角度の変化値に基づき、ターゲットマルチメディアファイルの再生速度を調整することができ、ユーザが端末機器のスクリーンを指でタッチ又はスライドすることでビデオの再生速度を変化させる必要がなくなる。
【００８２】
調整ユニット８０４はさらに、第２の調整方式が早送り調整である場合、曲げ速度と折畳み角度の変化値に基づき、ターゲットマルチメディアファイルを早送り再生するように制御し、そのうち、早送りレートが曲げ速度に関連付けられており、早送りの時間長さが折畳み角度の変化値に相関し、第２の調整方式が早戻し調整である場合、曲げ速度と折畳み角度の変化値に基づき、ターゲットマルチメディアファイルを早戻し再生するように制御し、そのうち、早戻しレートが曲げ速度に関連付けられ、早戻しの時間長さと折畳み角度の変化値とが相関するように配置されてもよい。
【００８３】
これより分かるように、本開示の実施例における方法では、折り畳みの速度に応じて、ビデオを異なる倍速で早送り・早戻し再生することができ、また、ユーザの好みから、折り畳み方向を選択することにより、再生制御操作がより柔軟で多変になるようにすることができ、ユーザの要求にもよりよく適合できるようになる。
【００８４】
上記任意の一実施例では、端末機器は、再生ユニット８１０をさらに含んでもよく、その再生ユニット８１０が、第１のスクリーン及び／又は第２のスクリーンに対する折畳み操作がプリセット時間帯に検出されていない場合、調整後のターゲットマルチメディアファイルを再生し、又は、ユーザによるタッチ操作に応答して、調整後のターゲットマルチメディアファイルを再生するように配置されてもよい。
【００８５】
すなわち、ユーザがスクリーンに対する折畳み操作をやめた後、再生プログレススライダーの移動が停止し、再生ユニット８１０は、システムによって一定の時間内にスライド操作が行われていないことが検出されると、ビデオの再生が自動的に継続する。又は、ユーザが再生ボタンをクリックして操作することで、ビデオの再生を継続させてもよい。
【００８６】
図１０は、本開示の実施例における端末機器を実現するハードウェア構造模式図である。図１０に示されるように、当該端末機器１０００は、無線周波数ユニット１００１と、ネットワークモジュール１００２と、音声出力ユニット１００３と、入力ユニット１００４と、センサ１００５と、表示ユニット１００６と、ユーザ入力ユニット１００７と、インターフェースユニット１００８と、メモリ１００９と、プロセッサ１０１０と、電源１０１１などの部材を含むが、それらに限らない。当業者であれば理解できるように、図１０に示した端末構造は、端末機器に対する限定を構成しなく、端末機器には、図示された部材の数よりも多くまたは少ない部材、又は、いくつかの部材の組み合わせ、又は、異なる部材の配置が含まれてもよい。本開示の実施例では、端末機器は、携帯電話、タブレットパソコン、ノートパソコン、パームトップコンピューター、車載端末、ウェアラブル装置、および、歩数計を含むが、それらに限らない。
【００８７】
そのうち、プロセッサ１０１０は、以下の方法を実行するために用いられる。
【００８８】
ターゲットスクリーンに対するユーザからの、第１のスクリーンと第２のスクリーンの間の折畳み角度の変化をトリガするための曲げ入力を受け付けること、および
曲げ入力に応答して、ターゲットマルチメディアファイルの再生パラメータを調整すること。
そのうち、ターゲットスクリーンは、第１のスクリーン又は第２のスクリーンであり、再生パラメータは、再生プログレス及び／又は再生速度を含む。
【００８９】
マルチメディアファイルの再生制御方法では、ターゲットスクリーンに対するユーザからの曲げ入力（当該曲げ入力が第１のスクリーンと第２のスクリーンの間の折畳み角度の変化をトリガする）を受け付けることにより、ターゲットマルチメディアファイルの再生パラメータ（例えば、再生プログレス又は再生速度）を調整する。そうすると、本開示の実施例における方法では、第１のスクリーン及び／又は第２のスクリーン間の折畳み角度の変化をトリガするだけで、マルチメディアファイルの再生プログレス又は再生速度に対する調整を実現でき、ユーザが端末機器のスクリーンを指でタッチ又はスライドすることなく、ビデオ再生の早送り又は早戻しなどの機能を実現させることができる。そのため、関連技術においてスクリーンを指でタッチさせることでビデオ再生プログレスを調整することに起因して、ノードジャンプが発生してしまい、最終的に再生ノードはユーザが見たい再生ノードではなくなるという問題を解決することができる。
【００９０】
理解すべきなのは、本開示の実施例では、無線周波数ユニット１００１は、情報の送受信または通話中の信号の送受信に用いられてもよい。具体的には、基地局からの下りリンクデータを受信してから、プロセッサ１０１０に送信して処理させ、また、上りリンクデータを基地局に送信してもよい。一般的には、無線周波数ユニット１００１は、アンテナ、少なくとも１つの増幅器、送受信機、カプラ、低騒音増幅器、デュプレクサなどを含むが、それらに限らない。また、無線周波数ユニット１００１は、さらに、無線通信システムやネットワークによって、他の機器との通信を行ってもよい。
【００９１】
端末機器は、ネットワークモジュール１００２によって、無線バンドインターネットアクセスをユーザに提供し、例えば、ユーザのために、電子メールの送受信や、ウェブページの閲覧やストリーミングメディアへのアクセスなどを実現させる。
【００９２】
音声出力ユニット１００３は、無線周波数ユニット１００１又はネットワークモジュール１００２が受信した、又は、メモリ１００９に記憶された音声データを音声信号に変換して音声として出力することができる。また、音声出力ユニット１００３は、さらに、端末機器１０００によって実行される特定の機能に関する音声（例えば、呼び信号受信音、メッセージ着信音など）の出力を提供することができる。音声出力ユニット１００３は、スピーカ、ブザー、および、受話器などを含む。
【００９３】
入力ユニット１００４は、音声またはビデオ信号を受信するために用いられる。入力ユニット１００４は、グラフィックスプロセッサ（Ｇｒａｐｈｉｃｓ  Ｐｒｏｃｅｓｓｉｎｇ  Ｕｎｉｔ、ＧＰＵ）１００４１とマイクロホン１００４２を含んでもよく、グラフィックスプロセッサ１００４１は、ビデオキャプチャモードまたは画像キャプチャモードにおいて、画像キャプチャ装置（例えば、カメラ）によって得られた静止画像又はビデオの画像データを処理する。処理後の画像フレームは、表示ユニット１００６に表示されてもよい。グラフィックスプロセッサ１００４１によって処理された画像フレームは、メモリ１００９（又は他の記憶媒体）に記憶されてもよく、又は、無線周波数ユニット１００１又はネットワークモジュール１００２によって送信されてもよい。マイクロホン１００４２は、音声を受信するとともに、そのような音声を音声データとして処理することができる。処理後の音声データは、電話の通話モードにおいて、無線周波数ユニット１００１によって移動通信基地局へ送信されることが可能なフォーマットの出力として変換されてもよい。
【００９４】
端末機器１０００は、さらに、少なくとも１つのセンサ１００５、例えば、光センサ、運動センサ、又は、他のセンサを含んでもよい。具体的には、光センサは、環境光センサと接近センサを含み、ただし、環境光センサは環境光の明るさに応じて表示パネル１００６１の輝度を調整することができ、接近センサは端末１０００が耳元に移動したとき、表示パネル１００６１及び／又はバックライトをオフにすることができる。運動センサの１種として、加速度計センサは、各方向（通常、３軸）での加速度の大きさを検出することができ、静止の場合、重力の大きさ及び方向を検出することができ、端末の姿勢（例えば、縦横スクリーン切り替え、関連ゲーム、磁力計姿勢校正）への識別、振動識別関連機能（例えば、歩数計、タップ）などのために用いられてもよい。センサ１００５は、さらに、指紋センサ、圧力センサ、虹彩センサ、分子センサ、ジャイロ、気圧計、湿度計、温度計、赤外線センサなどを含んでもよく、そのうち、赤外線センサが赤外線を送受信することで物体と端末機器の間の距離を計測することができ、ここでは例を省略する。
【００９５】
表示ユニット１００６は、ユーザによって入力された情報またはユーザに提供される情報を表示するために用いられる。表示ユニット１００６は、表示パネル１００６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で、表示パネル１００６１を配置してもよい。
【００９６】
ユーザ入力ユニット１００７は、入力された数字または文字情報を受信し、端末機器のユーザの設置や機能制御に関するキー信号入力を発生するために用いられてもよい。具体的には、ユーザ入力ユニット１００７は、タッチパネル１００７１及び他の入力機器１００７２を含む。タッチパネル１００７１は、タッチスクリーンとも呼ばれ、その上又はその近傍でのユーザによるタッチ操作（例えば、ユーザが指、タッチペンなどの任意の適切な物体又は付属品を用いて、タッチパネル１００７１の上またはタッチパネル１００７１の近傍で行う操作）を収集することができる。タッチパネル１００７１は、タッチ検出装置とタッチコントローラの２部分を含んでもよい。そのうち、タッチ検出装置は、ユーザによるタッチの方向を検出するとともに、タッチ操作による信号を検出し、信号をタッチコントローラに伝送する。タッチコントローラは、タッチ検出装置からタッチ情報を受信して、タッチポイント座標に変換してから、プロセッサ１０１０に送信し、また、プロセッサ１０１０から送信されたコマンドを受信して実行する。また、タッチパネル１００７１は、抵抗式、静電容量式、赤外線及び表面音声波などの種々のタイプのものとして実現されてもよい。タッチパネル１００７１以外、ユーザ入力ユニット１００７は、他の入力機器１００７２をさらに含んでもよい。具体的には、他の入力機器１００７２は、物理的キーボード、機能キー（例えば、音量制御キー、スイッチキーなど）、トラックボール、マウス、操作レバーを含んでもよいが、それらに限らない。ここでは例を省略する。
【００９７】
さらに、タッチパネル１００７１は、表示パネル１００６１に覆われてもよい。タッチパネル１００７１は、その上または近傍でのタッチ操作を検出した場合、プロセッサ１０１０に送信してタッチイベントのタイプを特定し、その後、プロセッサ１０１０は、タッチイベントのタイプに応じて相応な視覚出力を表示パネル１００６１に提供する。図１０では、タッチパネル１００７１と表示パネル１００６１は２つの独立した部材として、端末機器の入力と出力機能を実現するために用いられることが示されるが、しかし、いくつかの実施例では、タッチパネル１００７１と表示パネル１００６１を集積して端末機器の入力・出力機能を実現させてもよい。具体的には、ここでは限定しない。
【００９８】
インターフェースユニット１００８は、外部装置と端末機器１０００との接続のためのインタフェースである。例えば、外部装置は、有線または無線ヘッドフォンポート、外部電源（またはバッテリ充電器）ポート、有線または無線データポート、メモリカードポート、識別モジュールを有する装置への接続用のポート、音声入力／出力（Ｉ／Ｏ）ポート、ビデオＩ／Ｏ  ポート、ヘッドフォンポートなどを含んでもよい。インタフェースユニット１００８は、外部装置からの入力（例えば、データ情報、電力など）を受信するとともに、受信した入力を端末機器１０００内の１つまたは複数の素子に伝送し、または、端末機器１０００と外部装置の間にデータを伝送するために用いられてもよい。
【００９９】
メモリ１００９は、ソフトウェアプログラム及び種々のデータを記憶するために用いられてもよい。メモリ１００９は、主に、オペレーティングシステム、少なくとも１つの機能に必要なアプリケーションプログラム（例えば、音声放送機能、画像放送機能など）などを記憶することができるプログラム記憶エリアと、携帯電話の利用によって作成したデータ（例えば、音声データ、電話帳など）などを記憶することができるデータ記憶エリアを含んでもよい。また、メモリ１００９は、高速ランダムアクセスメモリを含んでもよく、例えば、少なくとも１つの磁気ディスクメモリ、フラッシュデバイス、又は、他の揮発性固体記憶デバイスのような不揮発性メモリをさらに含んでもよい。
【０１００】
プロセッサ１０１０は、端末機器の制御センターであり、種々のインターフェースや回路によって端末機器全体の各部分に接続され、メモリ１００９内に記憶されたソフトウェアプログラム及び／又はモジュールを運行または実行させること、およびメモリ１００９内に記憶されたデータを呼び出すことにより、端末機器の種々の機能を実行し、データを処理することで、端末機器全体をモニタする。プロセッサ１０１０は、１つまたは複数の処理ユニットを含んでもよい。好ましくは、プロセッサ１０１０は、アプリケーションプロセッサと変復調プロセッサとを集積したものであってもよい。そのうち、アプリケーションプロセッサは主にオペレーティングシステム、ユーザインタフェース、および、アプリケーションプログラムなどを処理するためのものであり、変復調プロセッサは主に無線通信を処理するためのものである。理解すべきなのは、上記変復調プロセッサは、プロセッサ１０１０に集積されなくてもよい。
【０１０１】
端末機器１０００は、各部材に対して電力を供給する電源１０１１（たとえば、バッテリ）をさらに含んでもよい。好ましくは、電源１０１１は、電源管理システムによってプロセッサ１０１０にロジック的に接続されてもよい。それにより、電源管理システムによって、充放電の管理や電力消耗管理などの機能を実現させることができる。
【０１０２】
また、端末機器１０００は、図示されない幾つかの機能モジュールを含んでもよいが、ここでは例を省略する。
【０１０３】
好ましくは、本開示の実施例は、端末機器をさらに提供する。この端末機器は、プロセッサ１０１０と、メモリ１００９と、メモリ１００９に記憶されているとともに、前記プロセッサ１０１０にて運行できるコンピュータプログラムを含んでもよく、当該コンピュータプログラムがプロセッサ１０１０によって実行されるとき、上記図１に示された方法についての実施例における各プロセスが実現され、かつ、同様な技術的効果が実現される。説明の重複を回避するために、ここでは説明を省略する。
【０１０４】
本開示の実施例は、コンピュータ可読記憶媒体をさらに提供する。コンピュータ可読記憶媒体にはコンピュータプログラムが記憶されており、当該コンピュータプログラムがプロセッサ７０１によって実行されるとき、上記図１に示された方法についての実施例における各プロセスが実現され、かつ、同様な技術的効果が実現される。説明の重複を回避するために、ここでは説明を省略する。ただし、上記コンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスクまたは光ディスクなどであってもよい。
【０１０５】
当業者であれば分かるように、本開示の実施例は、方法、システム、または、コンピュータプログラム製品として提供されてもよい。そのため、本開示は、完全にハードウェアである実施例、完全にソフトウェアである実施例、または、ソフトウェアとハードウェアの方面を組み合わせた実施例の形式が用いられてもよい。また、本開示は、１つまたは複数の、コンピュータ利用可能なプログラムコードを含むコンピュータ利用可能な記憶媒体（ディスクメモリ、ＣＤ−ＲＯＭ、光学メモリなどを含むが、それらに限られない）に実施されるコンピュータプログラム製品の形式が用いられてもよい。
【０１０６】
さらに説明すべきなのは、「含む」、「包含」という用語又は他の変形は、非排除性の「含む」を意図的にカバーするものであり、それにより、一連の要素を含むプロセス、方法、商品または機器はそれらの要素を含むだけではなく、明確に挙げられていない他の要素、又は、そのようなプロセス、方法、商品または機器に固有の要素も含む。それ以上の制限がない場合、「．．．．．．を１つ含む」という文章で限定された要素について、前記要素を含むプロセス、方法、商品または機器には、他の同様の要素がさらに存在することが排除していない。
【０１０７】
当業者であれば分かるように、本発明の実施例は、方法、システム、または、コンピュータプログラム製品として提供されてもよい。そのため、本開示は、完全にハードウェアである実施例、完全にソフトウェアである実施例、または、ソフトウェアとハードウェアの方面を組み合わせた実施例の形式が用いられてもよい。また、本開示は、１つまたは複数の、コンピュータ利用可能なプログラムコードを含むコンピュータ利用可能な記憶媒体（ディスクメモリ、ＣＤ−ＲＯＭ、光学メモリなどを含むが、それらに限られない）に実施されるコンピュータプログラム製品の形式が用いられてもよい。
【０１０８】
以上に記述されているのは、本開示の実施例に過ぎず、本開示を制限するためのものではない。当業者にとって、本開示は、種々の変更や変化が行われてもよい。本開示の精神と原則において行われた如何なる補正、等価代替、改良等は、いずれも、本開示の特許請求の範囲内に含まれるべきである。
【図１】
2022502761.tif 000003
【図２】
2022502761.tif 000004
【図３】
2022502761.tif 000005
【図４】
2022502761.tif 000006
【図５】
2022502761.tif 000007
【図６】
2022502761.tif 000008
【図７】
2022502761.tif 000009
【図８】
2022502761.tif 000010
【図９】
2022502761.tif 000011
【図１０】
2022502761.tif 000012
【手続補正書】
【提出日】令和3年3月24日(2021.3.24)
【手続補正１】
【補正対象書類名】明細書
【補正対象項目名】０００９
【補正方法】変更
【補正の内容】
【０００９】
第３の態様によれば、コンピュータプログラムが記憶されており、前記コンピュータプログラムがプロセッサによって実行されるとき、第１の態様に記載の方法のステップを実現させる、コンピュータ可読記憶媒体をさらに提供する。
【手続補正２】
【補正対象書類名】特許請求の範囲
【補正対象項目名】全文
【補正方法】変更
【補正の内容】
【特許請求の範囲】
【請求項１】
第１のスクリーンと第２のスクリーンを含む端末機器に用いられるマルチメディアファイルの再生制御方法であって、
ターゲットスクリーンに対するユーザからの、第１のスクリーンと第２のスクリーンの間の折畳み角度の変化をトリガするための曲げ入力を受け付けること、および
前記曲げ入力に応答して、ターゲットマルチメディアファイルの再生パラメータを調整することを含み、
前記ターゲットスクリーンは、前記第１のスクリーン又は前記第２のスクリーンであり、前記再生パラメータは、再生プログレス及び／又は再生速度を含む、方法。
【請求項２】
前記曲げ入力に応答して、ターゲットマルチメディアファイルの再生パラメータを調整することは、
前記曲げ入力の曲げ方向と折畳み角度の変化値を取得すること、
前記曲げ方向に基づき、第１の調整方式を特定すること、および
前記第１の調整方式と折畳み角度の変化値に基づき、ターゲットマルチメディアファイルの再生プログレスを調整することを含む、請求項１に記載の方法。
【請求項３】
前記第１の調整方式と折畳み角度の変化値に基づき、ターゲットマルチメディアファイルの再生プログレスを調整することは、
前記第１の調整方式が早送り調整である場合、前記折畳み角度の変化値に基づき、前記ターゲットマルチメディアファイルの再生プログレスを早送りするように制御し、そのうち、早送りの時間長さが前記折畳み角度の変化値に相関すること、および
前記第１の調整方式が早戻し調整である場合、前記折畳み角度の変化値に基づき、前記ターゲットマルチメディアファイルの再生プログレスを早戻しするように制御し、そのうち、早戻しの時間長さが前記折畳み角度の変化値に相関することを含む、請求項２に記載の方法。
【請求項４】
前記ターゲットマルチメディアファイルは、前記第１のスクリーン及び／又は第２のスクリーンに表示されるマルチメディア再生インタフェースにて再生されているファイルであり、
前記マルチメディア再生インタフェースは、前記マルチメディア再生プログレスを調整するためのプログレスバーを含み、
前記第１の調整方式と折畳み角度の変化値に基づき、ターゲットマルチメディアファイルの再生プログレスを調整することは、さらに、
前記第１の調整方式に従い、前記折畳み角度の変化値に基づき、プログレスバーにおけるスライダーの表示位置を更新することを含む、請求項２に記載の方法。
【請求項５】
前記曲げ入力に応答して、ターゲットマルチメディアファイルの再生パラメータを調整することは、
前記曲げ入力の曲げ方向、曲げ速度、および、折畳み角度の変化値を取得すること、
前記曲げ方向に基づき、第２の調整方式を特定すること、および
前記第２の調整方式に従い、前記曲げ速度と折畳み角度の変化値に基づき、ターゲットマルチメディアファイルの再生速度を調整することを含む、請求項１に記載の方法。
【請求項６】
前記第２の調整方式に従い、前記曲げ速度と折畳み角度の変化値に基づき、ターゲットマルチメディアファイルの再生速度を調整することは、
前記第２の調整方式が早送り調整である場合、前記曲げ速度と折畳み角度の変化値に基づき、前記ターゲットマルチメディアファイルを早送り再生するように制御し、そのうち、早送りレートが前記曲げ速度に関連付けられ、早送りの時間長さが前記折畳み角度の変化値に相関すること、および
前記第２の調整方式が早戻し調整である場合、前記曲げ速度と折畳み角度の変化値に基づき、前記ターゲットマルチメディアファイルを早戻し再生するように制御し、そのうち、早戻しレートが前記曲げ速度に関連付けられ、早戻しの時間長さが前記折畳み角度の変化値に相関することを含む、請求項５に記載の方法。
【請求項７】
第１のスクリーン及び第２のスクリーンと、
ターゲットスクリーンに対するユーザからの、前記第１のスクリーンと前記第２のスクリーンの間の折畳み角度の変化をトリガするための曲げ入力を受け付ける受付ユニットと、
前記曲げ入力に応答して、ターゲットマルチメディアファイルの再生パラメータを調整するための調整ユニットと、を備え、
前記ターゲットスクリーンは、前記第１のスクリーン又は前記第２のスクリーンであり、前記再生パラメータは、再生プログレス及び／又は再生速度を含む、端末機器。
【請求項８】
前記曲げ入力の曲げ方向及び折畳み角度の変化値を取得するための第１の取得ユニットをさらに備え、
前記調整ユニットは、前記曲げ方向に応じて、第１の調整方式を特定するとともに、前記第１の調整方式と折畳み角度の変化値に基づき、ターゲットマルチメディアファイルの再生プログレスを調整するように配置されている、請求項７に記載の端末機器。
【請求項９】
前記調整ユニットは、さらに、
前記第１の調整方式が早送り調整である場合、前記折畳み角度の変化値に基づき、前記ターゲットマルチメディアファイルの再生プログレスを早送りするように制御し、そのうち、早送りの時間長さが前記折畳み角度の変化値に相関し、
前記第１の調整方式が早戻し調整である場合、前記折畳み角度の変化値に基づき、前記ターゲットマルチメディアファイルの再生プログレスを早戻しするように制御し、そのうち、早戻しの時間長さが前記折畳み角度の変化値に相関するように配置されている、請求項８に記載の端末機器。
【請求項１０】
前記ターゲットマルチメディアファイルは、前記第１のスクリーン及び／又は第２のスクリーンに表示されるマルチメディア再生インタフェースにて再生されているファイルであり、前記マルチメディア再生インタフェースは、前記マルチメディア再生プログレスを調整するためのプログレスバーを含み、
前記調整ユニットは、さらに、前記第１の調整方式に従い、前記折畳み角度の変化値に基づき、プログレスバーにおけるスライダーの表示位置を更新するように配置されている、請求項８に記載の端末機器。
【請求項１１】
前記曲げ入力に応答して、前記曲げ入力の曲げ方向、曲げ速度、および、折畳み角度の変化値を取得するための第２の取得ユニットをさらに備え、
前記調整ユニットは、前記曲げ方向に応じて、第２の調整方式を特定するとともに、前記第２の調整方式に従い、前記曲げ速度と折畳み角度の変化値に基づき、ターゲットマルチメディアファイルの再生速度を調整するように配置されている、請求項７に記載の端末機器。
【請求項１２】
前記調整ユニットは、さらに、
前記第２の調整方式が早送り調整である場合、前記曲げ速度と折畳み角度の変化値に基づき、前記ターゲットマルチメディアファイルを早送り再生するように制御し、そのうち、早送りレートが前記曲げ速度に関連付けられ、早送りの時間長さが前記折畳み角度の変化値に相関し、
前記第２の調整方式が早戻し調整である場合、前記曲げ速度と折畳み角度の変化値に基づき、前記ターゲットマルチメディアファイルを早戻し再生するように制御し、そのうち、早戻しレートが前記曲げ速度に関連付けられ、早戻しの時間長さが前記折畳み角度の変化値に相関する、請求項１１に記載の端末機器。
【請求項１３】
プロセッサと、メモリと、前記メモリに記憶され、前記プロセッサにて運行できるコンピュータプログラムと、を含み、
前記コンピュータプログラムが前記プロセッサによって実行されるとき、請求項１〜６のいずれか１項に記載の方法のステップを実現させる、端末機器。
【請求項１４】
コンピュータプログラムが記憶されており、前記コンピュータプログラムがプロセッサによって実行されるとき、請求項１〜６のいずれか１項に記載の方法のステップを実現させる、コンピュータ可読記憶媒体。
【手続補正３】
【補正対象書類名】図面
【補正対象項目名】図２
【補正方法】変更
【補正の内容】
【図２】
2022502761.tif 000013
【手続補正４】
【補正対象書類名】図面
【補正対象項目名】図１０
【補正方法】変更
【補正の内容】
【図１０】
2022502761.tif 000014
【国際調査報告】
2022502761.tif 000015
2022502761.tif 000016
2022502761.tif 000017
2022502761.tif 000018